(57)【要約】【課題】筆記先端部の突出状態を解除し易く、且つ筆記先端部を選択して突出し易いスライド式の複合筆記具を簡単な構造で提供する。【解決手段】スライド式の複合筆記具において、各摺動体の後方に、弾性体により前記軸筒後端側に付勢して前記軸筒先端開口部方向に摺動自在な押圧体を、前記軸筒後端より突出させて回転可能に配設し、前記押圧体の先端部に、前記複数の摺動体の一つだけ選択して当接可能とする延設部を設けるとともに、前記押圧体を軸筒先端方向に押圧作動することによって、前記選択した一方の摺動体が軸筒先端方向に連動して前進し、一方の摺動体の後端部に形成した係止部を軸筒に形成した止め部に係止して、一方の筆記体の筆記先端部を軸筒先端開口部から突出した状態を維持することを特徴とする。【選択図】          図１
2010264667.tif 000002
【特許請求の範囲】
【請求項１】
軸筒内に複数の筆記体を弾発部材により軸筒後端方向に付勢して配設し、各筆記体の後部に摺動体を連接するとともに、一方の摺動体を軸筒先端開口部方向にスライドすることにより、一方の摺動体の後端部に形成した係止部を軸筒に形成した止め部に係止して、一方の摺動体に連接した筆記体の筆記先端部を軸筒先端開口部から突出した状態を維持し、他の摺動体を軸筒先端方向にスライドせしめることで、他の摺動体に形成した解除突起が、一方の摺動体の係止部を係脱させ、一方の筆記体の筆記先端部を軸筒先端開口部より没入可能な、筆記先端部を選択して出没可能なスライド式の複合筆記具において、前記各摺動体の後方に、弾性体により前記軸筒後端側に付勢して前記軸筒先端開口部方向に摺動自在な押圧体を、前記軸筒後端より突出させて回転可能に配設し、前記押圧体の先端部に、前記複数の摺動体の一つだけ選択して当接可能とする延設部を設けるとともに、前記押圧体を軸筒先端方向に押圧作動することによって、前記選択した一方の摺動体が軸筒先端方向に連動して前進し、一方の摺動体の後端部に形成した係止部を軸筒に形成した止め部に係止して、一方の筆記体の筆記先端部を軸筒先端開口部から突出した状態を維持することを特徴とするスライド式の複合筆記具。
【請求項２】
前記押圧体の外壁に凹凸部を形成することを特徴とする請求項１に記載のスライド式の複合筆記具。
【発明の詳細な説明】
【技術分野】
【０００１】
本発明は、軸筒内に複数の筆記体を配設したスライド式の複合筆記具に関する。
【背景技術】
【０００２】
従来から、スライド式の複合筆記具として、例えば、図１から図２に示すように、一方の摺動体６の隆起部６ａを前軸２の先端開口部２ａ方向にスライドすることにより、摺動体６の後端部に形成した係止部６ｂを軸筒に形成した止め部３ａに係止して、筆記体９の筆記先端部１０を先端開口部２ａから突出した状態を維持し、他方の摺動体５の隆起部６ａを前軸２の先端開口部２ａ方向にスライドせしめることで、他方の摺動体５の解除突起５ｃが一方の摺動体６に当接するとともに、止め部３ａに係止していた一方の摺動体６の係止部６ｂを係脱させ、一方の筆記先端部１０を先端開口部２ａより没入させ、さらに他方の摺動体５を前進することにより他方の係止部５ｂが止め部３ａに係止して筆記体７の筆記先端部８の突出状態を維持する、筆記先端部を選択して出没可能な出没機構を有する、ボールペンレフィル等、複数の筆記体を軸筒内に収容した構造のスライド式の複合筆記具は良く知られている。
【０００３】
ところで、前記スライド式の複合筆記具を、筆記体の筆記先端部が突出した状態でポケット等の布地に挟持した時、特に筆記体が、低粘度である水性インキや２５℃において粘度が３０００ｍＰａ・ｓ以下の油性インキ、あるいは剪断減粘性を付与したインキを収容したボールペンレフィルである場合には、前記インキがポケットの布地に染み込み汚してしまうという問題があり、突出状態を簡単に解除できるスライド式の複合筆記具が切望されている。
【０００４】
しかしながら、前記従来のスライド式の複合筆記具は、筆記先端部の突出を解除するには、他の摺動体をスライドさせる必要があるが、摺動体の隆起部は軸筒の側面に沿ってスライドさせる構造であるので、一つの筆記体の突出状態を解除又は他の筆記体を突出させる場合等、一本の指のみで操作する場合には、軸筒を回転させる等、摺動体が指の前方へくるように位置設定していた。すなわち一本の指では複数の摺動体を操作しにくかった。
【０００５】
こうした問題を鑑みて、本願出願人は、特許第３７１０１２５号「スライド式の複合筆記具」にて、前記摺動体の後端に、軸心方向に摺動自在な押圧体を配設するとともに、前記押圧体を軸筒先端方向に押圧作動することによって前記摺動体が軸筒先端方向に連動して前進し、一方の筆記体の筆記先端部を軸筒先端開口部から突出した状態で、押圧体を押圧することにより他方の摺動体を軸筒先端方向に前進させ、一方の筆記体の筆記先端部を軸筒先端開口部から没入可能するスライド式の複合筆記具を開示している。
【先行技術文献】
【特許文献】
【０００６】
【特許文献１】「特許第３７１０１２５号公報」
【発明の概要】
【発明が解決しようとする課題】
【０００７】
前述の通り、スライド式の複合筆記具における、一本の指では複数の摺動体を操作しにくいという問題は、筆記先端部の突出時にも抱える問題であり、さらに操作性の高いスライド式の複合筆記具が望まれている。
【０００８】
本発明の目的は、上述した従来の問題点等に鑑み、筆記先端部の突出状態を解除し易く、且つ筆記先端部を選択して突出し易いスライド式の複合筆記具を簡単な構造で提供することである。
【課題を解決するための手段】
【０００９】
本発明は、軸筒内に複数の筆記体を弾発部材により軸筒後端方向に付勢して配設し、各筆記体の後部に摺動体を連接するとともに、一方の摺動体を軸筒先端開口部方向にスライドすることにより、一方の摺動体の後端部に形成した係止部を軸筒に形成した止め部に係止して、一方の摺動体に連接した筆記体の筆記先端部を軸筒先端開口部から突出した状態を維持し、他の摺動体を軸筒先端開口部方向にスライドせしめることで、他の摺動体に形成した解除突起が、一方の摺動体の係止部を係脱させ、一方の筆記体の筆記先端部を軸筒先端開口部より没入可能な、筆記先端部を選択して出没可能なスライド式の複合筆記具において、前記各摺動体の後方に、弾性体により前記軸筒後端側に付勢して前記軸筒先端開口部方向に摺動自在な押圧体を、前記軸筒後端より突出させて回転可能に配設し、前記押圧体の先端部に、前記複数の摺動体の一つだけ選択して当接可能とする延設部を設けるとともに、前記押圧体を軸筒先端方向に押圧作動することによって、前記選択した一方の摺動体が軸筒先端方向に連動して前進し、一方の摺動体の後端部に形成した係止部を軸筒に形成した止め部に係止して、一方の筆記体の筆記先端部を軸筒先端開口部から突出した状態を維持することを特徴とする。
【００１０】
また、前記押圧体の外壁に滑り止め部を形成することを特徴とする。
【発明の効果】
【００１１】
本発明は、筆記先端部の突出状態を解除し易く、且つ筆記先端部を選択して突出し易いスライド式の複合筆記具を簡単な構造で提供することができた。
【図面の簡単な説明】
【００１２】
【図１】実施例１におけるスライド式の複合筆記具を示す縦断面図である。
【図２】図１における一方の筆記体の筆記先端部が突出した状態を示す図である。
【図３】図２における押圧体を回転した状態を示す図である。
【図４】図３における筆記体の筆記先端部が没入した状態を示す図である。
【発明を実施するための形態】
【００１３】
以下、図面を参照して本発明の実施例を説明する。尚、図面中同じ部材、同じ部品については同じ番号を付してある。
【実施例１】
【００１４】
図１から図４に示すように、実施例１のスライド式の複合筆記具１は、前軸２の後端に後軸３を螺着し、軸筒本体を構成し、この軸筒本体内に色の異なるインキ（図示せず）を収容したボールペンレフィルである筆記体７、９を、弾発部材１１、１２により後方に付勢させて収納してある。
【００１５】
また、後軸３には軸心方向に沿って延びる、外方に開口した摺動溝３ｂを径方向に区画して形成してあり、この摺動溝３ｂに、前記筆記体７、９に連接したインキ色と同色の摺動体５、６を摺動可能に配設する。摺動体５、６には隆起部５ａ、６ａが設けてあり、この隆起部５ａ、６ａを、摺動溝３ｂから後軸３の外周面より突出した状態に配設してある。
【００１６】
また、摺動体５、６の後方に、押圧体４を、弾性体１３により常時、後軸３の後端方向に付勢し、後軸３の後端部に装着した頭冠１４より突出させて配設してある。押圧体４は軸筒の軸心Ｊに沿って摺動自在及び軸筒本体の軸心Ｊに対して回転可能に配設してある。
【００１７】
一方の筆記体９を使用するには、選択した一方の摺動体６の隆起部６ａを前軸２の先端開口部２ａ方向に前進せしめることで、摺動体６に形成した係止部６ｂが後軸３の内部に形成した止め部３ａに係止して、筆記体９の筆記先端部１０を、前軸２の先端開口部２ａから選択して突出することができる。また、筆記体９の筆記先端部１０を突出した状態で維持している場合に、他方の摺動体５の隆起部５ａを軸筒先端方向に前進せしめることにより、他方の解除突起５ｃによって、止め部３ａに係止している一方の係止部６ｂを解除して、筆記体９の筆記先端部１０を軸筒内に没入することができる。
【００１８】
また、押圧体４の先端部に、複数の摺動体５、６の一つだけ選択して当接可能とする延設部４ａを設け、押圧体４を前軸２の先端開口部２ａ方向に押圧作動することによって、選択した一方の摺動体５または他方の摺動体６のみを前軸２の先端開口部２ａ方向に連動して前進可能とし、一方の摺動体６の後端部に形成した係止部６ｂまたは他方の摺動体５の係止部５ｂを軸筒に形成した止め部３ａに係止して、一方の筆記体９の筆記先端部１０または他方の筆記体７の筆記先端部８を前軸２の先端開口部２ａから突出した状態を維持することができる。
【００１９】
また、一方の筆記体９の筆記先端部１０を突出した状態で、押圧体４を回転（図３の矢印ＦまたはＧ）させ、他方の摺動体５の後方に延出部４ａを位置させ、押圧体４を押圧することにより、他方の摺動体５が連動して前進し、他方の解除突起５ｃによって、一方の摺動体６の止め部３ａに係止している係止部６ｂを解除して、一方の筆記体９の筆記先端部１０を前軸２内に没入させることができる。尚、押圧体４の外壁は、微細な梨字面によって滑り止め部を形成してあるため、回転操作し易くしてある。
【００２０】
以上のように、本発明のスライド式の複合筆記具は、摺動体での操作及び押圧体での操作により、筆記体を出没可能としてあるため、操作性が良好となる効果を奏するとともに、仮に摺動体の隆起部が破損しても筆記具として使用可能である。
【００２１】
尚、押圧体は、弾性体により常時軸筒後端方向に付勢して軸心方向に摺動自在に配設し、且つ回転可能としてあれば、配設方法は特に限定されるものではない。本実施例では、便宜上、押圧体の外壁に微細な梨字によって滑り止め部を形成してあるが、溝や弾性体を装着した滑り止め部であってもよい。
【００２２】
また、前軸と後軸を螺着により軸筒本体を形成しているが、軸筒を一体に形成し、軸筒後端部に摺動溝を形成してもよい。筆記体に摺動体を連接する構造についても特に限定されるものでなく、インキ収容筒の後端に直接あるいはインキ収容筒の後端に尾栓を挿着し、該尾栓に摺動体の先端部を係合して連接した構造等、従来から知られている構造を用いることができる。
【産業上の利用可能性】
【００２３】
本発明のスライド式の複合筆記具は、筆記体の数、筆記体に収容するインキ色、インキの種類等に限定されるものでなく、ボールペン３本や４本など、スライド式の複合筆記具として広く利用可能である。
【符号の説明】
【００２４】
１  スライド式の複合筆記具
２  前軸
２ａ  先端開口部
３  後軸
３ａ  止め部
３ｂ  摺動溝
４  押圧体
４ａ  延設部
５、６  摺動体
５ａ、６ａ  隆起部
５ｂ、６ｂ  係止部
５ｃ、６ｃ  解除突起
７、９  筆記体
８、１０  筆記先端部
１１、１２  弾発部材
１３  弾性体
１４  頭冠
【図１】
2010264667.tif 000003
【図２】
2010264667.tif 000004
【図３】
2010264667.tif 000005
【図４】
2010264667.tif 000006